(57)【特許請求の範囲】
【請求項１】
基地局が、登録解除コマンドメッセージの種類を示すための制御情報が付加される前記登録解除コマンドメッセージを、端末に送信するステップを含み、
前記制御情報は、要求期間パラメータであり、
前記基地局は、登録解除コマンドメッセージに要求期間パラメータが含まれているか、前記要求期間パラメータが含まれている場合の要求期間パラメータの異なる値に基づいて、前記登録解除コマンドメッセージの種類を指示し、
前記登録解除コマンドメッセージの種類は、前記基地局がアイドルモードを自発的に発動するためのメッセージと、前記端末からの登録解除要求メッセージに対する基地局の応答メッセージとを含むことを特徴とするアイドルモード制御方法。
【請求項２】
前記登録解除コマンドメッセージは、
前記要求期間パラメータを含まない場合、基地局がアイドルモードを自発的に発動するためのメッセージであり、
前記要求期間パラメータを含み、かつ、前記要求期間パラメータが０である場合、前記端末からの登録解除要求メッセージに対する応答メッセージであり、
前記要求期間パラメータを含み、かつ、前記要求期間パラメータが０でない場合、前記要求期間後にアイドルモードを発動するよう端末に通知するものであることを特徴とする請求項１に記載のアイドルモード制御方法。
【請求項３】
端末が登録解除要求メッセージを基地局に送信すると共に、タイマを起動するステップと、
前記端末が、
前記タイマがオーバータイムになる前に前記基地局により送信された登録解除コマンドメッセージを受信した場合、当該登録解除コマンドメッセージが、前記基地局がアイドルモードを自発的に発動するためのメッセージであると判定し、
前記タイマがオーバータイムになった後に前記基地局により送信された登録解除コマンドメッセージを受信した場合、当該登録解除コマンドメッセージが前記端末からの登録解除要求メッセージに対する応答メッセージであると判定するステップと、
を含むことを特徴とするアイドルモード制御方法。
【請求項４】
前記タイマの時間長は、前記基地局により予め設定され、前記端末に通知されていることを特徴とする請求項３に記載のアイドルモード制御方法。
【請求項５】
端末が基地局からの登録解除コマンドメッセージを受信するステップと、
端末が前記基地局に通知メッセージを送信するステップと、
を含み、
前記通知メッセージの種類は、前記端末による前記基地局からの登録解除コマンドメッセージの種類の判断を指示することを特徴とするアイドルモード制御方法。
【請求項６】
前記通知メッセージが確認メッセージである場合、前記端末が前記基地局に前記通知メッセージを送信する前に、前記端末により、前記登録解除コマンドメッセージが前記端末からの登録解除要求メッセージに応答するものであると判断するステップをさらに含み、
前記通知メッセージが応答メッセージである場合、前記端末が前記基地局に前記通知メッセージを送信する前に、前記端末により、前記登録解除コマンドメッセージが、前記基地局がアイドルモードを自発的に発動するためのメッセージであると判断するステップをさらに含むことを特徴とする請求項５に記載のアイドルモード制御方法。
【請求項７】
基地局がアイドルモードを自発的に発動するためのメッセージと、端末からの登録解除要求メッセージに対する基地局の応答メッセージとを含む登録解除コマンドメッセージの種類を示すための制御情報を、前記登録解除コマンドメッセージに配置する配置モジュールと、
前記配置モジュールにより配置された登録解除コマンドメッセージを前記端末に送信する送信モジュールと、を備え、
前記制御情報は、要求期間パラメータであり、
前記基地局は、登録解除コマンドメッセージに要求期間パラメータが含まれているか、前記要求期間パラメータが含まれている場合の要求期間パラメータの異なる値に基づいて、前記登録解除コマンドメッセージの種類を指示することを特徴とする基地局。
【請求項８】
登録解除要求メッセージを基地局に送信するための送信手段と、
前記基地局からの登録解除コマンドメッセージを受信するための受信手段と、
前記送信手段により前記登録解除要求メッセージが送信されると同時に、予め設定されたタイマを起動するための制御手段と、
前記タイマと、
前記受信手段が前記登録解除コマンドメッセージを受信したタイミングに基づいて、前記登録解除コマンドメッセージの種類を判定して、前記タイマがオーバータイムになる前に前記受信手段により前記登録解除コマンドメッセージが受信された場合、前記登録解除コマンドメッセージが、前記基地局がアイドルモードを自発的に発動するためのメッセージであると判定して、そうでない場合には、前記登録解除コマンドメッセージが端末からの登録解除要求メッセージに応答するものであると判定するための判定手段と、
を備えることを特徴とする端末。
【請求項９】
基地局からの登録解除コマンドメッセージを受信するための受信モジュールと、
端末がアイドルモードに移行したことを前記基地局に通知するための通知メッセージを前記基地局に送信するための送信モジュールと、を備え、
前記通知メッセージは、確認メッセージ及び応答メッセージのいずれであってもよく、受信した登録解除コマンドメッセージが端末からの登録解除要求メッセージに応答するものであると判断した場合、前記送信モジュールにより確認メッセージを送信し、アイドルモードに移行し、受信した登録解除コマンドメッセージが、基地局がアイドルモードを自発的に発動するためのメッセージであると判断した場合、前記送信モジュールにより応答メッセージを送信し、アイドルモードに移行することを特徴とする端末。
【発明の詳細な説明】
【技術分野】
【０００１】
本発明は、通信分野に係り、具体的には、アイドルモード制御方法、基地局及び端末に関するものである。
【背景技術】
【０００２】
ＷｉＭＡＸ（Ｗｏｒｌｄ＿Ｉｎｔｅｒｏｐｅｒａｂｉｌｉｔｙ＿ｆｏｒ＿Ｍｉｃｒｏｗａｖｅ＿Ａｃｃｅｓｓ）は、ＩＥＥＥ＿８０２．１６規格（ｐｒｏｔｏｃｏｌ）に基づく広帯域無線アクセス都市域ネットワーク（Ｂｒｏａｄｂａｎｄ＿Ｗｉｒｅｌｅｓｓ＿Ａｃｃｅｓｓ＿Ｍｅｔｒｏｐｏｌｉｔａｎ＿Ａｒｅａ＿Ｎｅｔｗｏｒｋ）技術である。技術の発展に伴い、ＷｉＭＡＸ通信システムに用いられるＩＥＥＥ８０２．１６ｅ規格はＩＥＥＥ８０２．１６ｍ規格に進化し、異なる規格をサポートする基地局と端末、例えば、高度化基地局（Ａｄｖａｎｃｅｄ＿Ｂａｓｅ＿Ｓｔａｔｉｏｎ、以下「ＡＢＳ」という）、標準基地局、高度化端末（Ａｄｖａｎｃｅｄ＿Ｍｏｂｉｌｅ＿Ｓｔａｔｉｏｎ、以下「ＡＭＳ」という）、標準端末が登場している。高度化基地局とは、新規の１６ｍ規格をサポートできるだけでなく、１６ｅ規格に対して互換性を有するものである。標準基地局とは、１６ｅ規格のみをサポートするものである。高度化端末とは、新規の１６ｍ規格だけでなく、１６ｅ規格もサポートできるものである。標準端末とは、１６ｅ規格のみをサポートするものである。
【０００３】
１６ｅ規格では、端末のエネルギー消費を削減しサービス基地局のエア・インターフェースリソース（ａｉｒ＿ｉｎｔｅｒｆａｃｅ＿ｒｅｓｏｕｒｃｅ）の占有量を削減することを目的とするアイドルモード（Ｉｄｌｅ＿Ｍｏｄｅ）が規格化されている。端末は、アイドルモードに移行した後、離散的な時間間隔をおいた場合のみに、基地局から送信される下りブロードキャストデータ（ページングメッセージ、マルチキャスト・ブロードキャストサービスデータなどを含む）を周期的に受信し、複数の基地局を通過する移動中に、切り替えやネットワークへの再接続操作を行う必要はない。１６ｍ規格は、１６ｅからアイドルモードを受け継いだものである。
【０００４】
従来の上記関連技術によれば、端末と基地局の両方は、アイドルモードを発動することができる。以下、１６ｅを例として、端末と基地局がアイドルモードを発動する動作を説明する。
【０００５】
図１に示すように、端末は、アイドルモードを発動する場合、登録解除要求コード（Ｄｅ−ｒｅｇｉｓｔｒａｔｉｏｎ＿Ｒｅｑｕｅｓｔ＿Ｃｏｄｅ）の値が０ｘ０１である登録解除要求メッセージ（Ｄｅ−ｒｅｇｉｓｔｒａｔｉｏｎ＿Ｒｅｑｕｅｓｔ、以下「ＤＲＥＧ−ＲＥＱ」という）を基地局に送信すると共に、タイマＴ４５を起動し、基地局による登録解除コマンド（Ｄｅｒｅｇｉｓｔｒａｔｉｏｎ＿Ｃｏｍｍａｎｄ、以下「ＤＲＥＧ−ＣＭＤ」という）メッセージの応答を待機する。Ｔ４５がオーバータイム（ｏｖｅｒｔｉｍｅ）となる前に基地局からのＤＲＥＧ−ＣＭＤメッセージを受信した場合、アイドルモードに移行する。基地局は、ＤＲＥＧ−ＣＭＤメッセージの送信時に、管理資源維持タイマ（Ｍａｎａｇｅｍｅｎｔ＿Ｒｅｓｏｕｒｃｅ＿Ｈｏｌｄｉｎｇ＿Ｔｉｍｅｒ、以下「ＭＲＨＴ」という）を起動し、当該タイマがオーバータイムとなると、端末の接続情報を釈放する。
【０００６】
図２に示すように、基地局は、アイドルモードを発動する場合、動作コード（Ａｃｔｉｏｎ＿Ｃｏｄｅ）が０ｘ０５であるＤＲＥＧ−ＣＭＤメッセージを端末に送信し、アイドルモードに移行するよう端末に要求すると共に、タイマＴ４６とＭＲＨＴを起動する。端末は、ＤＲＥＧ−ＣＭＤメッセージを受信すると、登録解除要求コードの値が０ｘ０２であるＤＲＥＧ−ＲＥＱメッセージを応答として送信し、アイドルモードに移行する。端末は、登録解除要求コードの値が０ｘ０３であるＤＲＥＧ−ＲＥＱメッセージを送信することによりアイドルモードへの移行を拒絶してもよい。この場合、端末は、さらに上りデータを送信する必要があり、暫くはアイドルモードに移行しないことが明らかである。基地局は、Ｔ４６がオーバータイムとなる前に登録解除要求コードの値が０ｘ０２であるＤＲＥＧ−ＲＥＱメッセージを受信した場合に、ＭＲＨＴがオーバータイムとなると、端末の接続情報を釈放する。基地局側には、登録解除コマンドリトライカウンタ（ＤＲＥＱ＿ｃｏｍｍａｎｄ＿ｒｅｔｒｙ＿ｃｏｕｎｔ）が配置されて、基地局がＤＲＥＧ−ＣＭＤメッセージを送信するたびに１をカウントする。基地局は、当該カウンタが所定の値になっても端末からのＤＲＥＧ−ＲＥＱメッセージを受信しなかった場合に、さらにＤＲＥＧ−ＣＭＤメッセージを送信せず、端末の接続情報を釈放する。
【０００７】
ところで、上述した方法を利用してアイドルモードを発動する場合に、動作コードが０ｘ０５であるＤＲＥＧ−ＣＭＤメッセージは、登録解除要求コードの値が０ｘ０１であるＤＲＥＧ−ＲＥＱメッセージへの応答だけでなく、基地局が自発的に発動するアイドルモードにも用いることができるので、端末が、登録解除要求コードの値が０ｘ０１であるＤＲＥＧ−ＲＥＱメッセージを送信すると同時に、基地局が、動作コードが０ｘ０５であるＤＲＥＧ−ＣＭＤメッセージを送信した場合、端末は、このメッセージを受信すると、基地局の目的を判断できないという問題が発生する虞がある。具体的には、端末は、基地局から送信されたメッセージが応答メッセージであると判断した場合、このメッセージを受信すると、アイドルモードに直接移行するが、基地局は、実際にはアイドルモードを自発的に発動した場合、端末からの登録解除要求コードが０ｘ０２又は０ｘ０３であるＤＲＥＧ−ＲＥＱメッセージを受信できず、ＤＲＥＧ＿ｃｏｍｍａｎｄ＿ｒｅｔｒｙ＿ｃｏｕｎｔがなくなるまで、動作コードが０ｘ０５であるＤＲＥＧ−ＣＭＤメッセージを送信し続けてしまう。一方、端末は、基地局が自発的にアイドルモードを発動すると判断した場合に、Ｄｅ＿ｒｅｇｉｓｔｒａｔｉｏｎ＿Ｒｅｑｕｅｓｔ＿Ｃｏｄｅの値が０ｘ０２であるＤＲＥＧ−ＲＥＱメッセージを応答として送信するが、実際には基地局の送信したメッセージが端末に応答するものである場合、基地局は、不所望のＤＲＥＧ−ＲＥＱメッセージを受信してしまう。
【０００８】
１６ｍの場合にも同様な問題がある。従来の関連技術においては、端末と基地局が同時にアイドルモードを発動した場合、即ち、端末が、登録解除要求コードの値が０ｘ０１であるＤＲＥＧ−ＲＥＱメッセージを送信すると共に、基地局が、動作コードが０ｘ０５であるＤＲＥＧ−ＣＭＤメッセージを送信した場合、端末は、自分の要求を無視し、登録解除要求コードの値が０ｘ０２であるＤＲＥＧ−ＲＥＱメッセージを基地局に応答し、基地局も端末の要求を無視するように規定されている。しかしながら、実際には、端末は、受信した動作コードが０ｘ０５であるＤＲＥＧ−ＣＭＤメッセージが、基地局がアイドルモードを発動するためのメッセージであるか否かを識別できないので、自分の要求を無視するという操作を行うこともできない。このように、従来の技術では、端末と基地局が同時にアイドルモードを発動した場合に、操作の混乱が避けられない。
【発明の開示】
【発明が解決しようとする課題】
【０００９】
本発明は、定義の不明瞭さにより端末と基地局の操作が混乱してしまうという従来関連技術の問題に鑑みてなされたもので、この問題を解決するためのアイドルモード制御方法、基地局及び端末を提供することを主な目的とする。
【課題を解決するための手段】
【００１０】
上述した目的を実現するために、本発明の一態様によれば、アイドルモード制御方法が提供される。
【００１１】
本発明のアイドルモード制御方法は、基地局が、登録解除コマンドメッセージの種類を示すための制御情報が付加された登録解除コマンドメッセージを、端末に送信するステップを含み、登録解除コマンドメッセージの種類は、基地局がアイドルモードを自発的に発動するためのメッセージと、端末からの登録解除要求メッセージに対する基地局の応答メッセージとを含む。
【００１２】
制御情報は、動作コード及び／又は識別子情報であり、基地局は、動作コード及び／又は識別子情報を異なる値に設定することにより、登録解除コマンドメッセージの種類を示すことが好ましい。
【００１３】
制御情報は、要求期間パラメータであり、基地局は、登録解除コマンドメッセージに要求期間パラメータが含まれていないか、又は、要求期間パラメータが含まれている場合の要求期間パラメータの異なる値に基づいて、登録解除コマンドメッセージの種類を示すことが好ましい。
【００１４】
登録解除コマンドメッセージは、要求期間パラメータを含まない場合、基地局がアイドルモードを自発的に発動するためのメッセージであり、要求期間パラメータを含み、かつ、要求期間パラメータが０である場合、端末からの登録解除要求メッセージに対する応答メッセージであり、要求期間パラメータを含み、かつ、要求期間パラメータが０でない場合、要求期間後にアイドルモードを発動するよう端末に通知するものであることが好ましい。
【００１５】
上述した目的を実現するために、本発明の一態様によれば、アイドルモード制御方法が提供される。
【００１６】
本発明のアイドルモード制御方法は、端末が登録解除要求メッセージを基地局に送信すると共に、タイマを起動するステップと、端末が、タイマがオーバータイムになる前に基地局により送信された登録解除コマンドメッセージを受信した場合、当該登録解除コマンドメッセージが、基地局がアイドルモードを自発的に発動するためのメッセージであると判定し、タイマがオーバータイムになった後に基地局により送信された登録解除コマンドメッセージを受信した場合、当該登録解除コマンドメッセージが端末からの登録解除要求メッセージに対する応答メッセージであると判定するステップと、を含む。
【００１７】
タイマの時間長は、基地局により予め設定され、端末に通知されていることが好ましい。
【００１８】
上述した目的を実現するために、本発明の一態様によれば、アイドルモード制御方法が提供される。
【００１９】
本発明のアイドルモード制御方法は、端末が基地局からの登録解除コマンドメッセージを受信するステップと、端末が基地局に通知メッセージを送信するステップと、を含み、通知メッセージの種類は、端末による基地局からの登録解除コマンドメッセージの種類の判断を示す。
【００２０】
通知メッセージが確認メッセージである場合、端末が基地局に通知メッセージを送信する前に、端末により、登録解除コマンドメッセージが端末からの登録解除要求メッセージに応答するものであると判断するステップをさらに含み、
通知メッセージが応答メッセージである場合、端末が基地局に通知メッセージを送信する前に、端末により、登録解除コマンドメッセージが、基地局がアイドルモードを自発的に発動するためのメッセージであると判断するステップをさらに含むことが好ましい。
【００２１】
上述した目的を実現するために、本発明の他の態様によれば、基地局が提供される。
【００２２】
本発明の基地局は、基地局がアイドルモードを自発的に発動するためのメッセージと、端末からの登録解除要求メッセージに対する基地局の応答メッセージとを含む登録解除コマンドメッセージの種類を示すための制御情報を、登録解除コマンドメッセージに配置する配置モジュールと、配置モジュールにより配置された登録解除コマンドメッセージを端末に送信する送信モジュールと、を備える。
【００２３】
上述した目的を実現するために、本発明のさらに他の態様によれば、端末が提供される。
【００２４】
本発明の端末は、登録解除要求メッセージを基地局に送信するための送信手段と、基地局からの登録解除コマンドメッセージを受信するための受信手段と、送信手段により登録解除要求メッセージが送信されると同時に、予め設定されたタイマを起動するための制御手段と、前記タイマと、受信手段が登録解除コマンドメッセージを受信したタイミングに基づいて、登録解除コマンドメッセージの種類を判定して、タイマがオーバータイムになる前に受信手段により登録解除コマンドメッセージが受信された場合、登録解除コマンドメッセージが、基地局がアイドルモードを自発的に発動するためのメッセージであると判定して、そうでない場合には、登録解除コマンドメッセージが端末からの登録解除要求メッセージに応答するものであると判定するための判定手段と、を備える。
【００２５】
上述した目的を実現するために、本発明のさらに他の態様によれば、端末が提供される。
【００２６】
本発明の端末は、基地局からの登録解除コマンドメッセージを受信するための受信モジュールと、端末がアイドルモードに移行したことを基地局に通知するための通知メッセージを基地局に送信するための送信モジュールと、を備える。
【発明の効果】
【００２７】
本発明によれば、登録解除コマンドメッセージにその種類を示すための制御情報を付加する方法、又は、タイマにより登録解除コマンドメッセージの種類を判断する方法を用いて、従来技術において定義の不明瞭さにより端末と基地局の操作が混乱してしまうという問題を解決し、端末が登録解除コマンドメッセージの種類を把握することができ、後続の処理が便利になる。
【００２８】
本発明の他の特徴及びメリットは、明細書における説明からさらに明確になり、又は本発明を実施することによって把握できる。本発明の目的及び他のメリットは、発明の詳細な説明、特許請求の範囲、及び、図面に特別に指摘された構造によって実現される。
【図面の簡単な説明】
【００２９】
ここで説明する図面は、本発明を理解させるためのものであり、本発明の一部を構成し、本発明における実施例と共に本発明を解釈するためのものであって、本発明を不当に限定するものではない。図面において、
【図１】従来技術に係る端末がアイドルモードを発動する場合の流れ図である。
【図２】従来技術に係る基地局がアイドルモードを発動する場合の流れ図である。
【図３】本発明の方法の実施例１に係るアイドルモード制御方法の流れ図である。
【図４】本発明の実例１に係るアイドルモード制御方法の実施を詳細に示す図である。
【図５】本発明の実例３に係るアイドルモード制御方法の実施を詳細に示す図である。
【図６】本発明の実例５に係るアイドルモード制御方法の実施を詳細に示す図である。
【図７】本発明の方法の実施例４に係るアイドルモード制御方法の流れ図である。
【図８】本発明の方法の実施例５に係るアイドルモード制御方法の流れ図である。
【図９】本発明の方法の実施例６に係るアイドルモード制御方法の流れ図である。
【図１０】本発明の装置の実施例１に係る基地局の構成を示すブロック図である。
【図１１】本発明の装置の実施例２に係る端末の構成を示すブロック図である。
【図１２】本発明の装置の実施例３に係る端末の構成を示すブロック図である。
【発明を実施するための形態】
【００３０】
以下、図面を参照しながら、本発明の好適な実施例について説明する。なお、ここに説明する好適な実施例は、本発明を説明し解釈するものであるが、本発明を限定するものではない。
【００３１】
従来の関連技術においては、基地局が登録解除コマンドメッセージを自発的に端末に送信することにより、又は、端末から送信された登録解除要求メッセージに応答して登録解除コマンドメッセージを端末に送信することにより、アイドルモードに移行するよう端末に指示することができるけれども、その場合、上記のように、端末は、受信した登録解除コマンドメッセージの種類を区別できなくなる。このことを考慮した結果、以下の実施例では、本願に係るアイドルモード制御方法が提案される。
このアイドルモード制御方法は、基地局が、登録解除コマンドメッセージの種類を示すための制御情報が付加されている登録解除コマンドメッセージを端末に送信すること、又は、端末が登録解除要求メッセージを送信すると共にタイマを起動し、受信した登録解除コマンドメッセージの種類をタイマにより判断することを含み、ある時間長閾値と、登録解除要求メッセージの送信と登録解除コマンドメッセージの受信との時間間隔とを比較することにより登録解除コマンドメッセージの種類を判定することが好ましい。
登録解除コマンドメッセージの種類を示すための制御情報は、動作コードの値により異なる登録解除コマンドメッセージの種類を示すもの、識別子情報の値により異なる登録解除コマンドメッセージの種類を示すもの、要求期間パラメータにより異なる登録解除コマンドメッセージの種類を示すもの、のうちの１つであることができる。以下、異なる実施例に基づいて説明する。
【００３２】
［方法の実施形態１］
本実施形態において、アイドルモード制御方法が提供される。図３は、本発明の方法の実施例１に係るアイドルモード制御方法の処理流れを示す。図３に示すように、この方法は、以下のステップＳ３０２とステップＳ３０４を含む。
ステップＳ３０２において、基地局は、登録解除コマンドメッセージの種類を示すための制御情報を、当該登録解除コマンドメッセージに付加する。登録解除コマンドメッセージの種類は、基地局がアイドルモードを自発的に発動するメッセージと、端末からの登録解除要求メッセージに対する基地局の応答メッセージとを含む。
ステップＳ３０４において、基地局は、当該登録解除コマンドメッセージを端末に送信する。
【００３３】
［実施例１］
本実施例において、登録解除コマンドメッセージに付加される制御情報は、動作コードであり、基地局は、動作コードの異なる値により登録解除コマンドメッセージの種類を指示する。実際の応用では、登録解除コマンドメッセージには、異なる動作コードを用いて異なる動作を区別できる。基地局は、当該動作コードを含む登録解除コマンドメッセージを端末に送信し、端末は、受信した登録解除コマンドメッセージに含まれる動作コードによって対応する処理を行う。具体的には、区別すべき動作は、基地局による端末の登録解除要求メッセージへの応答と、基地局によるアイドルモードの自発的発動とを含む。
【００３４】
以下は、８０２．１６ｍシステムを例として、具体的な実例により実施例１に係る方法を例示的に説明する。
【００３５】
［実例１］
図４は、本発明の実例１に係るアイドルモード制御方法の実施を詳細に示す図である。
基地局（ＡＢＳ）は、登録解除コマンド（ＡＡＩ−ＤＲＥＧ−ＣＭＤ）メッセージのうち、要求期間（ＲＥＧ−Ｄｕｒａｔｉｏｎ）パラメータが含まれず、動作コード（Ａｃｔｉｏｎ＿Ｃｏｄｅ）が０ｘ０５である登録解除コマンドメッセージが、アイドルモードを自発的に発動することを示し、動作コードが０ｘ０７である登録解除コマンドメッセージが、端末（ＡＭＳ）から送信された登録解除要求コード（Ｄｅ−ｒｅｇｉｓｔｒａｔｉｏｎ＿Ｒｅｑｕｅｓｔ＿Ｃｏｄｅ）の値が０ｘ０１であるものに応答することを示す。
【００３６】
ＡＭＳは、アイドルモードを発動するとき、登録解除要求コードの値が０ｘ０１である登録解除要求（ＡＡＩ−ＤＲＥＧ−ＲＥＱ）メッセージをＡＢＳに送信すると共に、タイマＴ４５を起動し、ＡＢＳによる登録解除コマンドの応答を待機する。
【００３７】
Ｔ４５がオーバータイムとなる前に動作コードが０ｘ０７である登録解除コマンドメッセージが受信された場合、このメッセージは、ＡＢＳからの応答メッセージであり、ＡＭＳは、アイドルモードに移行する。基地局は、動作コードが０ｘ０７である登録解除コマンドメッセージを送信すると同時に、管理資源維持タイマ（Ｍａｎａｇｅｍｅｎｔ＿Ｒｅｓｏｕｒｃｅ＿Ｈｏｌｄｉｎｇ＿Ｔｉｍｅｒ、「ＭＲＨＴ」）を起動し、このタイマがオーバータイムになると、端末の接続情報を釈放する。
動作コードが０ｘ０５である登録解除コマンドメッセージは、Ｔ４５がオーバータイムとなる前に受信され、かつ、要求期間パラメータを含まない場合、ＡＢＳが自発的に発動したアイドルモードを示すものであり、ＡＭＳは、自分の要求を無視し、登録解除要求コードの値が０ｘ０２である登録解除要求メッセージを応答として送信し、アイドルモードに移行する。ＡＢＳは、登録解除コマンドメッセージを送信すると同時に、タイマＴ４６とＭＲＨＴを起動し、Ｔ４６がオーバータイムになる前に登録解除要求コードの値が０ｘ０２である登録解除要求メッセージを受信した場合、ＡＭＳがアイドルモードに移行したと判定し、ＭＲＨＴがタイムアップすると、ＡＭＳの接続情報を釈放する。この方法における登録解除コマンドメッセージのパラメータの例を、表１に示す。
【００３８】
【表１】
0005598877.tif 000002
【００３９】
［実例２］
ＡＢＳは、登録解除コマンドメッセージのうち、要求期間パラメータが含まれず、動作コードが０ｘ０５である登録解除コマンドメッセージが、ＡＭＳから送信された登録解除要求の値が０ｘ０１である登録解除要求に応答することを示し、動作コードが０ｘ０７である登録解除コマンドメッセージが、アイドルモードを自発的に発動することを示す。
【００４０】
ＡＭＳは、アイドルモードを発動するとき、登録解除要求コードの値が０ｘ０１である登録解除要求メッセージをＡＢＳに送信すると共に、タイマＴ４５を起動し、ＡＢＳによる登録解除コマンドの応答を待機する。
【００４１】
動作コードが０ｘ０５である登録解除コマンドメッセージは、Ｔ４５がオーバータイムになる前に受信され、かつ、要求期間パラメータを含まない場合、ＡＢＳからの応答メッセージであり、ＡＭＳは、アイドルモードに移行する。基地局は、動作コードが０ｘ０５である登録解除コマンドメッセージを送信するときに、ＭＲＨＴを起動し、このタイマがオーバータイムになると、端末の接続情報を釈放する。Ｔ４５がオーバータイムになる前に動作コードが０ｘ０７である登録解除コマンドメッセージが受信された場合、このメッセージは、ＡＢＳが自発的に発動したアイドルモードを示すものであり、ＡＭＳは、自分の要求を無視し、登録解除要求コードの値が０ｘ０２である登録解除要求メッセージを応答として送信し、アイドルモードに移行する。ＡＢＳは、登録解除コマンドメッセージを送信すると同時に、タイマＴ４６とＭＲＨＴを起動し、Ｔ４６がオーバータイムになる前に登録解除要求コードの値が０ｘ０２である登録解除要求メッセージを受信した場合、ＡＭＳがアイドルモードに移行したと判定し、ＭＲＨＴがタイムアップすると、ＡＭＳの接続情報を釈放する。この方法における登録解除コマンドメッセージのパラメータの例は、表２に示す。
【００４２】
【表２】
0005598877.tif 000003
【００４３】
［実施例２］
本実施例において、登録解除コマンドメッセージに付加される制御情報が識別子情報であり、基地局は、識別子情報を異なる値に設定することにより、登録解除コマンドメッセージの種類を示す。具体的には、基地局は、登録解除コマンドメッセージに登録解除用識別子を付加する。この識別子は、端末の登録解除要求メッセージへの応答、自発的に発動されたアイドルモードのいずれか一方を１とする場合には、０が他方を示す。また、基地局は、基地局の異なる動作を示す異なる値に設定されるメッセージ・トランザクション識別子を登録解除コマンドメッセージに付加してもよい。基地局は、登録解除用識別子又はメッセージ・トランザクション識別子を含む登録解除コマンドメッセージを端末に送信し、端末は、受信した登録解除コマンドメッセージに含まれる登録解除用識別子又はメッセージ・トランザクション識別子の値に応じた処理を行う。
【００４４】
以下は、８０２．１６ｍシステムを例にとって、具体的な実例により実施例２に係る方法を例示的に説明する。
【００４５】
［実例３］
図５は、本発明の実例３に係るアイドルモード制御方法の実施を詳細に示す図である。ＡＢＳは、動作コードが０ｘ０５である場合の登録解除コマンドメッセージに１ビット長の一つの登録解除用識別子（ＤＲＥＧ＿Ｕｓａｇｅ＿Ｉｄｅｎｔｉｆｉｅｒ）を付加し、この識別子は、０とする場合には、ＡＭＳから送信された登録解除要求コードの値が０ｘ０１である登録解除要求への応答を、１とする場合には、アイドルモードの自発的発動を示す。この識別子が付加されていないが、ＲＥＧ−Ｄｕｒａｔｉｏｎパラメータが付加されている場合は、当該期間後にアイドルモードを発動することを端末に許可することを示す。
【００４６】
ＡＭＳは、アイドルモードを発動するとき、登録解除要求コードの値が０ｘ０１である登録解除要求メッセージをＡＢＳに送信すると共に、タイマＴ４５を起動し、ＡＢＳからの応答を待機する。
【００４７】
Ｔ４５がオーバータイムとなる前に動作コードが０ｘ０５、登録解除用識別子が０である登録解除コマンドメッセージが受信された場合、このメッセージは、ＡＢＳからの応答メッセージであり、ＡＭＳは、アイドルモードに移行する。基地局は、登録解除コマンドメッセージを送信する時に、管理資源維持タイマＭＲＨＴを起動し、このタイマがオーバータイムになると、端末の接続情報を釈放する。Ｔ４５がオーバータイムになる前に動作コードが０ｘ０５、登録解除用識別子が１である登録解除コマンドメッセージ受信された場合、このメッセージは、ＡＢＳが自発的に発動したアイドルモードを示すものであり、ＡＭＳは、自分の要求を無視し、登録解除要求コードの値が０ｘ０２である登録解除要求メッセージを応答として送信し、アイドルモードに移行する。ＡＢＳは、登録解除コマンドメッセージを送信すると同時に、タイマＴ４６とＭＲＨＴを起動し、Ｔ４６がオーバータイムになる前に登録解除要求コードの値が０ｘ０２である登録解除要求メッセージを受信した場合、ＡＭＳがアイドルモードに移行したと判定し、ＭＲＨＴがタイムアップすると、ＡＭＳの接続情報を釈放する。この方法における登録解除コマンドメッセージのパラメータの例は、表３に示す。
【００４８】
【表３】
0005598877.tif 000004
【００４９】
なお、本実例では、その構成を詳細に説明するために、登録解除用識別子の値と登録解除コマンドメッセージとの対応関係が特定されているが、実際の応用では、具体的な状況に応じて、それぞれの対応関係を選択することができるので、本発明ではこれを限定しない。
【００５０】
［実例４］
ＡＢＳは、動作コードが０ｘ０５である場合の登録解除コマンドメッセージにトランザクション識別子（ｔｒａｎｓａｃｔｉｏｎ＿ＩＤ）を付加する。
【００５１】
例えば、この識別子は、異なる値とする場合に、動作コード０ｘ０１の登録解除要求への応答、アイドルモードの自発的発動、及び要求期間の後にアイドルモードを発動することを端末に許可すること、のそれぞれを示すように定義する。又は、動作コード０ｘ０１の登録解除要求に応答する場合とアイドルモードを自発的に発動する場合に異なるｔｒａｎｓａｃｔｉｏｎ＿ＩＤが付加され、要求期間の後にアイドルモードを発動することを端末に許可する場合にはｔｒａｎｓａｃｔｉｏｎ＿ＩＤが付加されないように定義することもできる。
【００５２】
後続の動作は、実例１〜３の対応動作と略同様であるので、ここでは説明を省略する。
【００５３】
［実施例３］
本実施例において、登録解除コマンドメッセージに付加される制御情報は、要求期間パラメータであり、基地局は、要求期間パラメータが付加されているか、及び、要求期間パラメータが付加されている場合の要求期間パラメータの異なる値に基づいて、登録解除コマンドメッセージの種類を示す。登録解除コマンドメッセージは、要求期間パラメータを含まない場合、基地局がアイドルモードを自発的に発動するためのメッセージである。登録解除コマンドメッセージは、要求期間パラメータを含み、かつ、当該要求期間パラメータが０である場合、端末の登録解除要求メッセージに対する応答メッセージである。登録解除コマンドメッセージは、要求期間パラメータを含み、かつ、当該要求期間パラメータが０でない場合、要求期間の後にアイドルモードを発動するよう端末に通知するためのものである。実際の応用では、基地局は、要求期間パラメータを含む登録解除コマンドメッセージを端末に送信し、端末は、受信した登録解除コマンドメッセージに付加されている要求期間パラメータの値に応じた処理を行う。
【００５４】
以下は、８０２．１６ｍシステムを例にとって、具体的な実例により実施例３に係る方法を例示的に説明する。
【００５５】
［実例５］
図６は、本発明の実例５に係るアイドルモード制御方法の実施を詳細に示す図である。登録解除コマンドメッセージには、要求期間を含まない場合にはＡＢＳが自発的に発動したアイドルモードであることと、要求期間の値が０である場合には、動作コード０ｘ０１の登録解除要求への応答であることと、要求期間の値が０でない場合には要求期間により設定された期間後にアイドルモードを発動するようＡＭＳに通知することとを、それぞれ示すように、ＡＢＳにより定義される。
【００５６】
後続の動作は、実例１〜３の対応動作と略同様であるので、ここでは説明を省略する。
【００５７】
［実例６］
登録解除コマンドメッセージには、要求期間を含まない場合には、動作コード０ｘ０１の登録解除要求への応答であることと、要求期間が付加されており、かつ、その値が０である場合にはＡＢＳが自発的に発動したアイドルモードであることと、要求期間が付加されており、かつ、その値が０でない場合には要求期間により設定された期間後にアイドルモードを発動するようＡＭＳに通知することとを、それぞれ示すように、ＡＢＳにより定義される。
【００５８】
後続の動作は、実例１〜３の対応動作と略同様であるので、ここでは説明を省略する。
【００５９】
［方法の実施形態２］
［実施例４］
本実施例において、アイドルモード制御方法が提供される。図７は、本発明の実施例４に係るアイドルモード制御方法の処理流れを示す。図７に示すように、この方法は、以下のステップＳ７０２と、ステップＳ７０４とを含む。
ステップＳ７０２において、端末は、基地局に登録解除要求メッセージを送信し、タイマを起動する。このタイマの時間長は、時間定数とも言われ、基地局により予め設定されて端末に通知されている。
ステップＳ７０４において、端末は、タイマがオーバータイムになる前（即ち、応答時間定数内）に基地局からの登録解除コマンドメッセージを受信した場合、この登録解除コマンドメッセージが、基地局がアイドルモードを自発的に発動するためのものであり、その動作が、基地局により自発的に発動されたアイドルモードへの移行であると判定し、タイマがオーバータイムになった後（即ち、予め設定されている応答時間後）に基地局からの登録解除コマンドメッセージを受信した場合には、この登録解除コマンドメッセージが、端末により送信された登録解除要求メッセージに応答するものであると判定する。
【００６０】
［実施例５］
時間長閾値を予め設定する方法により登録解除コマンドメッセージの種類を判定することもできる。図８は、本発明の実施例５に係るアイドルモード制御方法の処理流れを示す。図８に示すように、この方法は、以下のステップＳ８０２〜ステップＳ８０６を含む。
ステップＳ８０２において、基地局は、時間長閾値を予め設定し、端末に通知する。
ステップＳ８０４において、基地局は、登録解除コマンドメッセージを端末に送信する
ステップＳ８０６において、端末は、登録解除コマンドメッセージの受信と登録解除要求メッセージの送信との時間間隔と、時間長閾値とを比較することにより、登録解除コマンドメッセージの種類を判定し、時間間隔が時間長閾値より短い場合、基地局から送信された登録解除コマンドメッセージが、基地局がアイドルモードを自発的に発動するためのメッセージであると判定し、時間間隔が時間長閾値以上である場合、基地局から送信された登録解除コマンドメッセージが、登録解除要求メッセージへの応答メッセージであると判定し、即ち、端末は、登録解除要求メッセージの送信と登録解除コマンドメッセージの受信との時間間隔と、予め設定された応答時間定数とを比較することにより、対応する処理を行う。
【００６１】
以下は、８０２．１６ｍシステムを例にとって、具体的な実例により、実施例４と実施例５に係る方法を詳細に説明する。
【００６２】
［実例７］
ＡＢＳは、時間定数である登録解除コマンド受信時間（ＤＲＥＧ＿Ｒｅｃｅｉｖｅ＿Ｔｉｍｅ）を設定し、ＡＭＳは、動作コード０ｘ０１の登録解除要求を送信すると、タイマＴ４５を起動し、ＡＢＳからの応答メッセージを待機する。端末は、登録解除要求の送信時刻から登録解除コマンド受信時間までの期間内に動作コード０ｘ０５の登録解除コマンドを受信した場合、基地局がアイドルモードへの移行を自発的に発動したと判定し、登録解除コマンド受信時間の後に動作コード０ｘ０５の登録解除コマンドを受信した場合には、このメッセージが動作コード０ｘ０１の登録解除要求に対応するものであると判定する。以上の説明は、ステップＳ７０４に対応する。
【００６３】
又は、ＡＭＳは、登録解除要求の送信時に起動されるタイマ（ＤＲＥＧ＿Ｒｅｃｅｉｖｅ＿Ｔｉｍｅｒ）を設定でき、このタイマがオーバータイムになる前（即ち、基地局が予め設定し端末に通知した時間長閾値になる前）に受信した登録解除コマンドがＡＢＳにより自発的に発行されたアイドルモード起動コマンドであると判定し、このタイマがオーバータイムになった後に受信した登録解除コマンドがＡＢＳからの応答であると判定する。以上の説明は、上記ステップＳ８０６に対応する。
【００６４】
［方法の実施形態３］
［実施例６］
本実施例において、アイドルモード制御方法が提供される。図９は、本発明の実施例６に係るアイドルモード制御方法の処理流れを示す。図９に示すように、この方法は、以下のステップＳ９０２〜ステップＳ９０６を含む。
ステップＳ９０２において、端末は、基地局からの登録解除コマンドメッセージを受信する。
ステップＳ９０４において、端末は、基地局に通知メッセージを送信する。通知メッセージの種類は、端末による基地局からの登録解除コマンドメッセージの種類の判断を示す。端末は、登録解除コマンドメッセージが端末に対して送信された登録解除要求メッセージに応答するものであると判断した場合、応答のための確認情報である通知メッセージを送信し、アイドルモードに移行する。一方、端末は、登録解除コマンドメッセージが、基地局がアイドルモードを自発的に発動するためのメッセージであると判断した場合には、自分の送信した要求を無視し、当該登録解除コマンドメッセージへの応答メッセージである通知メッセージを送信し、アイドルモードに移行する。
ステップＳ９０６において、基地局は、端末がアイドルモードに移行したことを基地局に通知するための端末からの通知メッセージを取得し、この通知メッセージを受信すると、端末がアイドルモードに移行したと判定する。
【００６５】
以下は、８０２．１６ｍシステムを例にとって、具体的な実例により、実施例６に係る方法を例示的に説明する。
【００６６】
［実例８］
ＡＭＳは、０ｘ０１の登録解除要求を送信した後、動作コードが０ｘ０５であり要求期間パラメータが付加されていない登録解除コマンドメッセージを受信する。
【００６７】
ＡＭＳは、自分の送信した登録解除要求への応答メッセージであると判断した場合、ＡＡＩ＿ＤＲＥＧ−ＡＣＫメッセージをＡＢＳに送信し、アイドルモードに移行し、ＡＢＳは、その送信したメッセージが確かに応答メッセージである場合には、ＡＡＩ＿ＤＲＥＧ−ＡＣＫを受信してＭＲＨＴがタイムアップすると、ＡＭＳのリソースを釈放し、アイドルモードを自発的に発動した場合には、ＡＡＩ＿ＤＲＥＧ−ＡＣＫを受信すると、ＡＭＳがアイドルモードに移行したと判定し、即ち、この場合、ＡＡＩ＿ＤＲＥＧ−ＡＣＫは、０ｘ０２の登録解除要求と同様に機能する。ここで、ＡＭＳは、登録解除要求の送信時に起動されるタイマ（ｔｉｍｅｒ）を設定することができ、このタイマがオーバータイムになる前に受信した登録解除コマンドがＡＢＳにより自発的に発行されたアイドルモード起動コマンドであると判断し、このタイマがオーバータイムになった後に受信した登録解除コマンドがＡＢＳからの応答であると判断する。
【００６８】
ＡＭＳは、ＡＢＳがアイドルモードを自発的に発動したと判断した場合、０ｘ０２の登録解除要求を応答として送信し、ＡＢＳから送信したものが応答メッセージである場合、登録解除要求を受信すると、ＡＭＳがアイドルモードに移行したことを確認することができ、ＡＢＳが確かにアイドルモードを自発的に発動した場合には、登録解除要求を受信すると、ＡＭＳがアイドルモードに移行したと判断する。
【００６９】
［実例９］
ＡＢＳとＡＭＳのいずれが起動するアイドルモード移行プロセスにおいても、ＡＭＳは、要求期間パラメータが付加されていない、動作コード０ｘ０５の登録解除コマンドメッセージを受信した場合に、アイドルモードへの移行に同意すると、動作コード０ｘ０２を含む登録解除要求を必ず送信する。これでも、背景技術に言及された問題を解決できる。
【００７０】
［装置の実施例１］
本実施例において、基地局が提供される。図１０は、本発明の装置の実施例１に係る基地局の構成を示す。図１０に示すように、この基地局は、基地局がアイドルモードを自発的に発動するためのメッセージと、端末からの登録解除要求メッセージに対する基地局の応答メッセージとを含む登録解除コマンドメッセージの種類を示すための制御情報を、登録解除コマンドメッセージに配置する配置モジュール１０１と、配置モジュール１０１に接続され、配置モジュール１０１により配置された登録解除コマンドメッセージを端末に送信する送信モジュール１０２と、を備える。
【００７１】
［装置の実施例２］
本実施例において、端末が提供される。図１１は、本発明の装置の実施例２に係る端末の構成を示す。図１１に示すように、この端末は、送信手段１１１と、受信手段１１２と、制御手段１１３及びタイマ１１４と、判定手段１１５とを備える。以下、この端末を構成する各手段の機能と接続関係について詳細に説明する。
【００７２】
送信手段１１１は、登録解除要求メッセージを基地局に送信するものである。受信手段１１２は、基地局からの登録解除コマンドメッセージを受信するものである。制御手段１１３とタイマ１１４について、制御手段１１３は、送信手段１１１に接続され、タイマ１１４は、制御手段１１３に接続され、制御手段１１３は、送信手段１１１により登録解除要求メッセージが送信されると同時に、予め設定されたタイマを起動する。判定手段１１５は、タイマ１１４と受信手段１１２とに接続され、受信手段１１２が登録解除コマンドメッセージを受信したタイミングに基づいて、登録解除コマンドメッセージの種類を判定して、タイム１１４がオーバータイムになる前に受信手段１１２により登録解除コマンドメッセージが受信された場合、登録解除コマンドメッセージが、基地局がアイドルモードを自発的に発動するためのメッセージであると判定し、そうでない場合には、登録解除コマンドメッセージが端末からの登録解除要求メッセージに応答するものであると判定する。
【００７３】
［装置の実施例３］
本実施例において、端末が提供される。図１２は、本発明の装置の実施例３に係る端末の構成を示す。図１２に示すように、この端末は、基地局から送信されてきた登録解除コマンドメッセージを受信するための受信モジュール１２１と、受信モジュール１２１に接続され、端末がアイドルモードに移行したことを基地局に通知するための通知メッセージを基地局に送信するための送信モジュール１２２と、を備える。
【００７４】
通知メッセージは、確認メッセージ及び応答メッセージのいずれであってもよい。端末は、その受信モジュール１２１の受信した登録解除コマンドメッセージが端末からの登録解除要求メッセージに応答するものであると判断した場合、送信モジュール１２２により確認メッセージを送信し、アイドルモードに移行し、その受信モジュール１２１の受信した登録解除コマンドメッセージが、基地局がアイドルモードを自発的に発動するためのメッセージであると判断した場合、送信モジュール１２２により応答メッセージを送信し、アイドルモードに移行する。
【００７５】
以上のように、上述した実施例に係るアイドルモード制御方法は、基地局による定義の不明瞭さにより端末と基地局の操作が混乱するという問題を解決することができ、アイドルモードの発動時に端末と基地局の操作が一致し、エアインターフェースでの伝送効率が向上する。
【００７６】
以上は、本発明の好適な実施例に過ぎず、本発明を限定するものではない。当業者であれば本発明に様々な修正や変形が可能である。本発明の精神や原則内での如何なる修正、置換、改良などは本発明の保護範囲内に含まれる。
【００７７】
１０１    配置モジュール
１０２    送信モジュール
１１１    送信手段
１１２    受信手段
１１３    制御手段
１１４    タイマ
１１５    判定手段
１２１    受信モジュール
１２２    送信モジュール
【図１】
0005598877.tif 000005
【図２】
0005598877.tif 000006
【図３】
0005598877.tif 000007
【図４】
0005598877.tif 000008
【図５】
0005598877.tif 000009
【図６】
0005598877.tif 000010
【図７】
0005598877.tif 000011
【図８】
0005598877.tif 000012
【図９】
0005598877.tif 000013
【図１０】
0005598877.tif 000014
【図１１】
0005598877.tif 000015
【図１２】
0005598877.tif 000016